(57)【要約】本発明は、改善された触感および衛生上の特徴を有する、医薬生成物および製剤用の投薬装置に関する。本発明の投薬装置は、出口を有し、使用中に投薬装置内部に配置しうる貯蔵生成物の容器から出口を通って生成物を投薬する。装置の外面の少なくとも一部を熱可塑性エラストマーから形成する。
2004502503.tif 000002
【特許請求の範囲】
【請求項１】
出口を有する携帯用投薬装置であって、使用中に投薬装置内部に配置しうる容器または当該投薬装置と連通する貯蔵生成物の容器から前記出口を通って生成物を投薬する携帯用投薬装置において、
前記装置の外面の少なくとも一部を、熱可塑性エラストマーから形成したことを特徴とする携帯用投薬装置。
【請求項２】
前記装置使用の間に使用者が接触可能である少なくとも出口部分を、熱可塑性エラストマーから形成した請求項１に記載の携帯用投薬装置。
【請求項３】
前記装置を使用していない場合に前記出口をシールするための手段を備え、このシール手段を熱可塑性エラストマーから形成した請求項１または２に記載の携帯用投薬装置。
【請求項４】
前記装置外面の熱可塑性エラストマーからなる少なくとも１つの部分が、非スリップ表面を形成して装置の取扱いを補助する請求項１〜３のいずれかに記載の携帯用投薬装置。
【請求項５】
前記装置外面の熱可塑性エラストマーからなる少なくとも１つの部分が、隆起した輪郭を有する請求項１〜４のいずれかに記載の携帯用投薬装置。
【請求項６】
前記熱可塑性エラストマー部分が、前記装置の残部と共に共成形品として形成されている請求項１〜５のいずれかに記載の携帯用投薬装置。
【請求項７】
前記装置外面の熱可塑性エラストマーからなる少なくとも１つの部分が、前記装置の凹部にキー締めにされている請求項６に記載の携帯用投薬装置。
【請求項８】
前記装置外面の熱可塑性エラストマーからなる少なくとも１つの部分が、前記装置上に被覆されている請求項１〜５のいずれかに記載の携帯用投薬装置。
【請求項９】
前記装置が、エアロゾールスプレイを投薬するように作動可能な投薬容器を含むアクチュエーターである請求項１〜８のいずれかに記載の携帯用投薬装置。
【請求項１０】
加圧投薬容器で使用するための請求項９に記載の携帯用投薬装置。
【請求項１１】
非液化ガス系を用いる投薬装置で使用するための請求項９に記載の携帯用投薬装置。
【請求項１２】
前記装置が、粉末化薬剤を投薬するように作動可能な吸入器である請求項１〜８のいずれかに記載の携帯用投薬装置。
【請求項１３】
前記装置がスペーサーである請求項１〜８のいずれかに記載の携帯用投薬装置。
【請求項１４】
前記装置が眼用ディスペンサーである請求項１〜８のいずれかに記載の携帯用投薬装置。
【請求項１５】
前記装置が皮膚用アプリケーターである請求項１〜８のいずれかに記載の携帯用投薬装置。
【請求項１６】
前記装置がニードルレスインジェクターである請求項１〜８のいずれかに記載の携帯用投薬装置。
【請求項１７】
前記装置が耳用ディスペンサーである請求項１〜８のいずれかに記載の携帯用投薬装置。
【請求項１８】
前記装置が膣用ディスペンサーである請求項１〜８のいずれかに記載の携帯用投薬装置。
【請求項１９】
前記装置が経鼻アクチュエーターである請求項１〜８のいずれかに記載の携帯用投薬装置。
【請求項２０】
前記経鼻アクチュエーターの出口が、出口通路を形成する硬質内部コアーと、熱可塑性エラストマーから形成される外部ライニングとを含んでなる請求項１９に記載の携帯用投薬装置。
【請求項２１】
さらに、前記出口をシールする解放可能な閉鎖部材を含んでなり、この閉鎖部材は熱可塑性エラストマーから形成されている請求項１〜２０のいずれかに記載の携帯用投薬装置。
【請求項２２】
熱可塑性エラストマーが、サントプレン、ペバックス、ビタプレン、ハイトレルおよび類似物からなる群から選ばれる１つである請求項１〜２１のいずれかに記載の携帯用投薬装置。
【請求項２３】
薬剤投薬用の装置であって、
使用中に薬剤を投薬する出口を形成するハウジングと、
前記出口に係合して当該出口を閉鎖しうる着脱自在なキャップと、
該キャップを前記ハウジングに連結するストラップであって、当該キャップを前記出口から非係合状態にさせた場合でも当該キャップが前記ハウジングにつながった状態であるようなストラップとを含んでなり、
前記ストラップは、キャップと出口とを係合状態および非係合状態にさせるのに充分な弾性を有する熱可塑性エラストマーから形成されることを特徴とする装置。
【請求項２４】
前記ストラップの長さは、前記キャップを前記出口と係合させたとき前記ストラップが前記ハウジングと緊密に接近して存在するような長さである請求項２３に記載の装置。
【請求項２５】
前記キャップが熱可塑性エラストマーから形成されている請求項２３または２４に記載の装置。
【請求項２６】
前記キャップおよび前記ストラップが一体成形体として形成されている請求項２５に記載の装置。
【請求項２７】
熱可塑性エラストマー材料のパッドを、前記ストラップの一端において形成して、このパッドを前記ハウジングに固定付設し、これにより、非スリップ表面を形成している請求項２３〜２６のいずれかに記載の装置。
【請求項２８】
前記パッド、前記ストラップおよび前記キャップが一体成形体として形成される請求項７に記載の装置。
【請求項２９】
前記ハウジングまたは、パッド、ストラップおよびキャップを含んでなる一体成形体の一方を、第１成形工程において形成し、
前記ハウジングまたは、パッド、ストラップおよびキャップを含んでなる一体成形体の他方を、第２成形工程において形成する請求項２８に記載の装置。
【請求項３０】
前記ハウジングの１つまたはそれ以上の部分に熱可塑性エラストマーを被覆して非スリップ表面を形成する請求項２３〜２９のいずれかに記載の装置。
【請求項３１】
前記キャップと出口とを係合状態および非係合状態にさせる移動は、前記キャップおよび前記出口の共軸上の相対的な移動によってなされる請求項２３〜３０のいずれかに記載の装置。
【請求項３２】
前記装置が、エアロゾールスプレイを投薬するように作動可能な加圧投薬容器を含んでなる請求項２３〜３１のいずれかに記載の装置。
【請求項３３】
前記装置が、粉末化薬剤を投薬するように作動可能な吸入器を含んでなる請求項２３〜３１のいずれかに記載の装置。
【請求項３４】
前記装置が経鼻アクチュエーターを含んでなる請求項２３〜３１のいずれかに記載の装置。
【請求項３５】
前記装置がスペーサーである請求項２３〜３１のいずれかに記載の装置。
【発明の詳細な説明】
【０００１】
（技術分野）
本発明は、投薬装置（ｄｉｓｐｅｎｓｉｎｇ　ａｐｐａｒａｔｕｓ）に関する。特に、本発明は、改善された触感および衛生上の特徴を有する、医薬生成物および製剤用の投薬装置に関する。
【０００２】
（背景技術）
従来から、医薬生成物や医薬製剤を投薬する際に使用される投薬装置は、多数のタイプが知られている。このような装置には、経口アクチュエーター、経鼻アクチュエーター、スペーサー、眼用ディスペンサー、皮膚用アプリケーター（経皮または皮下アプリケーター）、ニードルレスインジェクター、耳用ディスペンサー、膣用ディスペンサーなどが包含される。
【０００３】
経口アクチュエーターは、一般に薬剤を貯蔵する容器を含んでなる。このような容器には、薬剤を液体媒体として貯蔵する投薬容器が包含される。投薬容器は、揮発性プロペラントを用いて薬剤を投薬する加圧型、またはポンプ若しくは他の非液化ガス装置を用いて薬剤を投薬する非加圧型であってよい。これとは別の態様として、薬剤を、破壊可能なシール容器から投薬することができ、この態様によれば、薬剤を、乾燥粉末として貯蔵して空気流によって投薬させている。このような経口アクチュエーターの変形例には、定量吸入器、加圧型定量吸入器、乾燥粉末吸引器、呼吸作動型吸入器および呼吸調整型（ｂｒｅａｔｈ　ｃｏ−ｏｒｄｉｎａｔｅｄ）吸入器が包含される。
【０００４】
経鼻アクチュエーターは、一般に薬剤貯蔵用のバイアルまたは他の容器を含んでなる。薬剤を、出口ノズルを経て投薬することは、揮発性プロペラント（ｐｒｏｐｅｌｌａｎｔ）を用いて気流を駆動させるか、または駆動手段によって液体薬剤を加圧することによって達成される。これとは別の態様として、投薬機能は、点鼻剤用のドロッパーの場合のように、重力によって駆動させることができる。
【０００５】
スペーサーを別の投薬装置への連結に用いて、チャンバーまたはほぼ全体が包囲された他の空間を形成し、これらチャンバーまたは空間において、投薬薬剤粒子の速度を低下させた後に、投薬薬剤粒子を使用者に経口投与または経鼻投与することができる。
【０００６】
眼用ディスペンサーには、点眼剤用のドロッパー、薬剤洗浄による眼をひたすためのアイバスおよび、眼に対し薬剤を低速の噴霧体として投薬するための投薬容器（加圧型または非加圧型投薬容器）が包含される。
【０００７】
皮膚アプリケーターには、皮下注射器、カテーテルおよび、皮膚境界層内に物理的に浸透させるような他の装置が包含される。
【０００８】
ニードレスインジェクターは、皮下注射とは異なって、皮膚境界層内にいずれのインジェクター部分も浸透させずに、薬剤を皮下に投薬するのに使用される。一般に、薬剤の高速駆動によるニードレスインジェクターの運動では、駆動力を形成する圧縮空気のような圧縮媒体を用いて、皮膚境界層を横断する。
【０００９】
耳用ディスペンサーには、点耳剤用のドロッパーおよび、液体、クリームなどを耳に適用するための他のアプリケーターが包含される。
膣用ディスペンサーには、液体、クリームなどの製剤を膣内に適用するための装置が包含される。
【００１０】
以上説明した装置全ての共通の特徴は、出口を設け、この出口を経て薬剤を投薬させていることである。出口は、例えば経口アクチュエーターおよびスペーサーの場合にはマウスピースであり、例えば経鼻、耳用、皮膚用または膣用アクチュエーターの場合にはほぼ円錐形態のチップである。一般に、出口は、装置使用の間にその使用者と接触している。したがって、出口の表面は、汚物や埃などの汚染物が存在しないように維持することが重要である。加えて、装置出口のシール手段を設けて、汚物や埃などの汚染物の装置本体への進入を防止することが、有利である。
【００１１】
（発明の開示）
（発明が解決しようとする技術的課題）
以上のような投薬装置に関する１つの問題は、投薬操作の間に使用者と接触するような箇所において、装置の材料が不快感を引起こしうることである。例えば、ポリプロピレンや高密度ポリエチレンなどの既知のポリマープラスチックは、冷たい触感であり、また、装置使用の間に、鋭敏な角やコーナーを形成し、これらが装置使用者に苦痛を与えたり、装置使用者を傷つけたりしうる。例えば、経口アクチュエーターのマウスピースまたはシールキャップは、鋭敏な角やコーナーが存在すれば、装置使用者の舌や唇や顔を引っ掻いたり、切ったりしうる。同様に、鼻用アクチュエーターのチップは、粗面を形成すれば、鼻の内側を切ったり、引っ掻いたりしうる。
【００１２】
このような投薬装置に関する別の問題は、特に幼い子供や衰弱したヒトが投薬装置を握って取扱うのが困難となりうることである。このような投薬装置のハウジングに使用される、代表的なポリマープラスチックは、特に濡れている場合、当然にすべり易い傾向を示す。加えて、投薬装置は、特に、片手で握って操作するのが困難である。
【００１３】
（その解決方法）
本発明によれば、出口を含んでなる、携帯用投薬装置であって、この装置の使用に際し、前記出口を経て、生成物を、貯蔵生成物を内部に配置しうる容器または当該出口と連通する容器から、投薬すること、および前記装置の外面の少なくとも一部を、熱可塑性エラストマーから形成することを特徴とする投薬装置を開示する。
【００１４】
（発明を実施するための最良の形態）
次に、添付の図面を参照しながら、本発明の実施形態を説明するが、本発明は、これら実施形態に制限されるものではない。
【００１５】
図１は、本発明の投薬装置の第１実施形態を示す斜視図である。
図２は、本発明の投薬装置の第２実施形態を示す斜視図である。
図３は、本発明の投薬装置の第３実施形態を示す斜視図である。
図４は、側壁に付設した一体成形ストラップとマウスピースから非係合状態のキャップとを有する、本発明の投薬装置の第４実施形態を示す斜視図である。
図５ａは、端部壁に付設した一体成形ストラップおよびマウスピース上の係合位置に存在するキャップを有する、本発明の投薬装置の第５実施形態を示す断面概略図である。
図５ｂは、キャップをマウスピース上の係合位置に移動させる直前の、当該マウスピースと同軸整合状態のキャップを示す、図５ａの装置の断面概略図である。
図５ｃは、非係合位置のキャップ、例えば装置作動中のキャップを示す、図５ａの投薬装置の断面概略図である。
図６ａは、本発明の投薬装置の第６実施形態を示す側面図である。
図６ｂは、図６ａの装置の端面図である。
図７は、本発明の分散装置の第７実施形態を示す断面図である。
図８は、本発明の分散装置の第８実施形態を示す断面図である。
図９は、図８の分散装置の出口を拡大して示す、拡大断面図である。
【００１６】
図１〜図６ｂは、本発明の６つの実施形態を示す。これらの実施形態は、共通してハウジング２を含んでなる装置１を有し、このハウジング２は、管状側壁と開口端部４を有する管状体３からなる。管状体３は、その反対端部において端部壁５によって閉鎖されており、管状マウスピース６は、端部壁５から直近の位置において、管状体３から側方に突出している。マウスピース６は、外面８を有する管状リップ部分７を備え、このリップ部分７は、装置の使用に際し、管状体３内に通常受容された加圧投薬容器（図示せず）から放出されるエアロゾールスプレイを、マウスピース６を経て経口吸引することを望む装置使用者の唇に、提示される。
【００１７】
装置１は、さらにキャップ９を含んでなる。このキャップ９は、リップ部分７上に滑り嵌めされ、この滑り嵌めは、キャップ９を、当該キャップ９がマウスピース６と係合する係合位置に移動させた場合、キャップ９の内面１２が完全にリップ部分７の外面８を覆うようになされる。
【００１８】
リップ部分７およびキャップ９は、共働するスナップ嵌めコネクターを備え、このコネクターは、キャップ９の内面１２に形成された溝（図示せず）と共働関係にある、リップ部分７から突出する戻り止め１３を含む。
【００１９】
既知の装置において、ハウジング２およびキャップ９は、一般に、ポリプロピレンまたは高密度ポリエチレン（ＨＤＰＥ）のようなプラスチック材料から形成される。
【００２０】
本発明によれば、分散装置は、ＨＤＰＥ、ポリプロピレンまたは類似物と共に熱可塑性エラストマーから、共成形品（コ−モールディング）として形成して、装置１上に１つまたはそれ以上の表面特性を形成し、これにより、投薬装置の衛生上の特徴および／また触感上の特徴を改善することができる。
【００２１】
共成形品製造法の第１工程では、ポリプロピレン、ＨＤＰＥまたは類似材料からハウジング２を成形する。第２工程では、装置１の熱可塑性エラストマー構成要素をハウジング２と緊密に成形する。熱可塑性エラストマー構成要素は、物理的結合と化学的結合とが混じり合った状態でハウジング２に保持される。加えて、必要なら、付加的な固定手段を用いて、優れた結合、例えば溶接、機械的締結、接着などを得ることができる。
【００２２】
好ましくは、共成形品製造法の両工程は、同じ金型によって実施することができる。これとは別の態様として、成形したハウジング２を、異なる第２工程用金型に移動させることができる。２つの成形工程は、順序を逆にすることができる。使用される熱可塑性エラストマーは、サントプレン（Ｓａｎｔｏｐｒｅｎｅ）、ペバックス（Ｐｅｂａｘ）、ビタプレン（Ｖｉｔａｐｒｅｎｅ）、ハイトレル（Ｈｙｔｒｅｌ）または類似物のいずれであってもよい。以下に記載のように、有利には、種々の熱可塑性エラストマー構成要素をハウジング２に対し成形することができる。
【００２３】
図１に示すような第１実施形態によれば、熱可塑性エラストマー製のパッド２０を、端部壁５上に形成している。好ましくは、パッド２０は、突条２２または他の表面突出部若しくは窪みを備える。これらは、装置１を保持する際に、使用者の指または親指による把持の改善に有用である。パッド２０は、好ましくは、管状体３の端部壁５の凹部キー溝２１内にキー締めにする。キーおよびキー溝の配置によって、熱可塑性エラストマーと、ポリプロピレンまたはＨＤＰＥ材料との間に改善された連結が得られる。これとは別の態様として、パッド２０は、キー溝を用いずに、単に端部壁５の表面に接着することができる。ハウジング２は、凹部特徴を備え、この凹部特徴を介してパッド２０を成形し、これにより当該ハウジング２に対するパッド２０の改善された付設機能を得ることができる。
【００２４】
管状体３の１つまたはそれ以上の部分２３は、熱可塑性エラストマーの部分を備える。熱可塑性エラストマー部分２３によって、管状体３の側面において改善された把持機能が得られる。熱可塑性エラストマー部分２３は、管状体３の表面に接着するか、または当該表面に形成された凹部内にキー締めにすることができる。熱可塑性エラストマー部分２３において、文字および／または絵を、切抜き領域または窪み若しくは突出部として形成することができる。このようにして、服薬指導書、製品の注意書きおよび銘柄名のような情報をハウジング２に与えることができる。視覚障害者のために、隆起した文字または点字標記を設けることができる。有利には、装置１の重要な部分である文字および／または絵は、時間の経過につれて除去または消去されることに対し、耐性を示す。これは、服薬指導書および注意書きにとって特に重要であり、これらは、従来技術では、非常に容易に除去されうる粘着性ラベルなどとして設けられる傾向があった。
【００２５】
図２に示すような第２実施形態では、長手方向に向いた一連の突条（ｒｉｄｇｅ）３２は、管状体３の側面に形成される。突条３２は、前記したようなタイプの共成形された熱可塑性エラストマーから、前記方法によって形成される。また、突条３３をキャップ９に設けることができる。好ましくは、突条３３は、使用者がキャップ９を引張ったり押したりする指による把持機能を改善するように、横方向に向いている。突条３２および３３は、表面にキー締めにするかまたは表面に接着することができる。
【００２６】
第３実施形態は、図３に示すように、突条４２を斜め方向に向けたことおよび隆起ドット４３をキャップ９に設けたことを除き、同様な配置を含んでなる。
【００２７】
図４は、本発明の第４実施形態を示す一方、図５ａ〜図５ｃは、本発明の第５実施形態を示す。
【００２８】
図４に関し、キャップ９は、サントプレン（ＲＴＭ）、ペバックス（ＲＴＭ）、ビタプレン（ＲＴＭ）、ハイトレル（ＲＴＭ）などのような熱可塑性エラストマー材料から形成したストラップ１０によって、管状体３に連結される。ストラップ１０は、機械的締結法、接着剤法、加熱溶接法、超音波溶接法またはこれら手段の組合せによって、キャップ９およびハウジング２に接続される。
【００２９】
図４に示すような第４実施形態によれば、キャップ９は、管状体３の側面に付設される。図５ａ〜図５ｃに示すような第５実施形態によれば、ストラップ１０は、端部壁５に付設される。これら第４実施形態および第５実施形態では、他の点は同じである。キャップ９の係合および非係合機能それ自体は、もっぱら第５実施形態に関して説明する。
【００３０】
有利には、キャップ９を管状体３から離れる方向に引張った場合、熱可塑性エラストマー材料の固有の弾性によって、ストラップ１０はその長さに沿って伸長して延在することができる。
【００３１】
キャップ９は、リップ部分７上に滑り嵌めされ、この滑り嵌めは、キャップ９を、当該キャップ９がマウスピース６と係合する係合位置（図５ａ、参照）に移動させた場合、キャップ９の内面１２が完全にリップ部分７の外面８を覆うようになされる。
【００３２】
リップ部分７およびキャップ９は、共働するスナップ嵌めコネクターを備え、このコネクターは、キャップ９の内面１２に形成された溝（図示せず）と共働関係にある、リップ部分７から突出する戻り止め１３を含む。
【００３３】
図５ｃに示すように、キャップ９は、マウスピース８から非係合状態の場合、管状体３の軸範囲およびマウスピース６の軸範囲からストラップ１０の長さによって決定される距離だけオフセットした位置に存在する所定の位置に移動できる。ストラップ１０の相対的弾性のため、キャップ９は、非係合状態にさせた場合、マウスピース６から脱落する傾向を示し、これによりマウスピース６への接近を大幅に改善することができる。
【００３４】
この非係合位置において、装置使用者は、キャップ９およびストラップ１０の存在に妨害されることなくハウジング２を把持できるが、装置使用者は、一般に、親指を端部壁５に置き、人差し指をバレル成形体３の周囲に置く。
【００３５】
キャップ９を、図５ｃの非係合位置から図５ａの係合位置に移動させるには、管状体３から離れているキャップ９を、当該キャップ９がリップ部分７の軸範囲を超えて延在するような位置に、マウスピース６と同軸整合状態になるように移動させる必要がある（図５ｂ、参照）。この移動の間、ストラップ１０は、伸長する。ストラップ１０の最大延長長さは、少なくともこの配置形態に対応する必要がある。キャップ９を係合位置に移動させ、次いでキャップ９を管状体３の方向に、リップ部分７に対しスライド関係の状態で戻り止め１３まで押込んで、キャップ９を進行させると、スナップ嵌め連結状態になり、キャップ９は、リップ部分７の外面８全体が覆われるような、完全な係合位置（図５ａ、参照）に定位する。
【００３６】
図５ａの係合位置において、ストラップ１０は、その当初の非伸長長さに弾性的に回復し、これにより、ストラップ１０は、管状体３の閉鎖状態を保持して、管状体３から離れる方向にループ形態で延在していないことがわかる。その結果、ストラップ１０を物体に引っかけ、偶然にキャップ１０を外す危険が大幅に減少した。また、貯蔵状態の装置全体の寸法も減少した。
【００３７】
キャップ９は、ポリプロピレンのようなプラスチック材料から形成することができる。有利には、本発明の別の態様によれば、キャップ９は、熱可塑性エラストマーから形成することもできる。次いで、キャップ９およびストラップ１０を、成形法によって、一体成形体として形成することができる。熱可塑性エラストマーの固有のフレキシビリティによって、キャップ９を捩ったり、押し潰したりでき、またその当初の形態に復元することができる。これは、キャップ９を少し捩ってキャップ９をマウスピース８から外すことおよびこれらを係合状態にさせることを容易にする一方、キャップ９によって、装置使用の間に使用者の顔を引っ掻いたりする危険がない点で、有利である。
【００３８】
図６ａおよび図６ｂは、本発明の第６実施形態を示す。前記した実施形態に関して説明したものと同様な構成要素は、同様な参照番号を付し、ここでは詳細には説明していない。ストラップ１０は、第５実施形態と同様なキャップ９に連結される。ストラップ１０の他方の端部において、パッド２０は、サントプレン、ペバックス、ビタプレン、ハイトレルなどのような熱可塑性エラストマー材料から形成される。パッド２０は、前記実施形態に関して前記した任意の方法によって、ストラップ１０に連結することができる。しかしながら、好ましくはストラップ１０およびパッド２０は、成形法によって一体成形体として形成される。ストラップ１０、キャップ９およびパッド２０は、これらが全て熱可塑性エラストマーから形成される場合には、好ましくは成形法によって単一の一体成形体として形成される。
【００３９】
パッド２０は、管状体３の端部壁５の凹部キー溝２１内に受容されるキーとして有用である。パッド２０は、第１実施形態に関して前記したいずれかの方法、例えば溶接法、機械的締結法、接着剤法などによって、凹部キー溝２１に固定付設される。キーおよびキー溝の配置によって、熱可塑性エラストマーと、ポリプロピレン材料との間に改善された連結が得られる。これとは別の態様として、パッド２０は、キー溝を用いずに、単に端部壁５の表面に接着することができる。
【００４０】
有利には、キャップ９、ストラップ１０およびパッド２０の全てを熱可塑性エラストマーから形成する場合、装置１は、２工程法による成形品として形成することができる。第１工程では、ハウジング２を、ポリプロピレンまたは類似材料から成形し、第２工程では、キャップ９、ストラップ１０およびパッド２０を熱可塑性エラストマーからハウジング２の所定の位置に直接成形して、パッド２０を物理的結合と化学的結合とが混じり合った状態でハウジング２に保持する。好ましくは、成形法の両工程は、同じ金型で実施することができる。これとは別の態様として、成形したハウジング２を、異なる第２工程用金型に移動させることができる。２つの成形工程は、順序を逆にすることができる。
【００４１】
所望により、ハウジング２は、凹部特徴を備えることができ、この凹部特徴を介してパッド２０を成形して、当該ハウジング２に対するパッド２０の改善された付設機能を得ることができる。
【００４２】
好ましくは、パッド２０は、突条２２または他の表面突出部若しくは窪みを備える。これらは、装置１を保持する際に、使用者の指または親指による把持の改善に有用である。
【００４３】
図７は、図１〜図６ｂに示したタイプの経口アクチュエーターに対しスペーサー４０を付設した態様の投薬装置の第７実施形態である。
【００４４】
スペーサー４０は、経口アクチュエーターのマウスピース８に付設され、吸引前に投薬薬剤粒子の速度を遅延させるチャンバー４１を備える。経口アクチュエーターのマウスピース８とほぼ対向するマウスピース４２は、ストラップ５０によってスペーサー本体に付設しうるキャップ４９を備える。ストラップ５０およびキャップ４９配置の構造、材料および操作は、前記と同じである。もちろん、スペーサーを他のタイプのアクチュエーターに付設する場合、本発明のストラップおよびキャップ配置は、他のタイプのスペーサーに適用することができる。
【００４５】
図８は、本体６１、チップ６２およびキャッ６９を有する経鼻アクチュエーター６０を含んでなる、本発明の第８実施形態を示す。チップ６２は、出口６４を形成し、この出口６４を通って、薬剤は、投薬される。経鼻アクチュエーター６０は、ストラップ７０によってスペーサー本体に付設しうるキャップ６９を備える。ストラップおよびキャップ配置の構造、材料および操作は、前記と同じである。
【００４６】
スペーサー４０および経鼻アクチュエーター６０は、図１〜図６ｂの経口アクチュエーターに関して記載したいずれかの熱可塑性エラストマー構成要素を含んでなることができる。例えば、スペーサー４０は、当該スペーサーを着脱する際に装置使用者による把持を補助するリブを備えることができる。
【００４７】
図９は、経鼻アクチュエーターの出口チップを形成する熱可塑性エラストマー共成形品７３の使用を示す。出口オリフィス７１を形成するポリマープラスチック製または金属製の硬質コアー７２は、前記したタイプの熱可塑性エラストマーの層７３によって覆われる。好ましくは、熱可塑性エラストマーは、当該熱可塑性エラストマーを含んでない出口オリフィス７１の内面７４から出発する一方、装置使用者の鼻と接触する表面全体を覆うように延在する。このようにして、オリフィスの幾何学的形態に依存するスプレイパターンは、悪影響を受けない。有利には、熱可塑性エラストマー被膜７３により、装置使用者にとって心地よく、柔軟で衛生的な接触面が得られる。加えて、熱可塑性エラストマー材料は、望ましい特性であることがわかっている、暖かみのある触感を示す。熱可塑性エラストマーは、前記したような共成形品として形成される。
【００４８】
本発明の技術的思想は、他のタイプの投薬装置、例えば眼用ディスペンサー、皮膚用アプリケーター（経皮または皮下アプリケーター）、ニードルレスインジェクター、耳用ディスペンサーおよび膣用ディスペンサーに適用することができる。このような投薬装置において、適切なものとして、図１〜図６ｂの経口アクチュエーターおよび図８の経鼻アクチュエーターに関して前記したいずれの熱可塑性エラストマー構成要素も、組込むことができる。例えば、熱可塑性エラストマー被覆チップを、耳への滴下に使用される耳用ドロッパーに設けることができ、また、熱可塑性エラストマー製のリブをニードレスアクチュエーターのハウジングに設けることができる。
【図面の簡単な説明】
【図１】本発明の投薬装置の第１実施形態を示す斜視図。
【図２】本発明の投薬装置の第２実施形態を示す斜視図。
【図３】本発明の投薬装置の第３実施形態を示す斜視図。
【図４】側壁に付設した一体成形ストラップとマウスピースから非係合状態のキャップとを有する、本発明の投薬装置の第４実施形態を示す斜視図。
【図５ａ】端部壁に付設した一体成形ストラップとマウスピース上の係合位置に存在するキャップとを有する、本発明の投薬装置の第５実施形態を示す断面概略図。
【図５ｂ】キャップをマウスピース上の係合位置に移動させる直前の、当該マウスピースと同軸整合状態のキャップを示す、図５ａの装置の断面概略図。
【図５ｃ】非係合位置のキャップを示す、図５ａの投薬装置の断面概略図。
【図６ａ】本発明の投薬装置の第６実施形態を示す側面図。
【図６ｂ】図６ａの装置の端面図。
【図７】本発明の分散装置の第７実施形態を示す断面図。
【図８】本発明の分散装置の第８実施形態を示す断面図。
【図９】図８の分散装置の出口を拡大して示す、拡大断面図。
【符号の説明】
１：投薬装置、２：ハウジング、３：管状体、４：開口端部、５：端部壁、６：マウスピース、７：管状突条部分、８：外面、９：キャップ、１２：内面、１３：戻り止め、２０：パッド、２１：キー溝、２２：突条、２３：熱可塑性エラストマー部分。
【国際公開パンフレット】
2004502503.tif 000003
2004502503.tif 000004
2004502503.tif 000005
2004502503.tif 000006
2004502503.tif 000007
2004502503.tif 000008
2004502503.tif 000009
2004502503.tif 000010
2004502503.tif 000011
2004502503.tif 000012
2004502503.tif 000013
2004502503.tif 000014
2004502503.tif 000015
2004502503.tif 000016
2004502503.tif 000017
2004502503.tif 000018
2004502503.tif 000019
2004502503.tif 000020
2004502503.tif 000021
2004502503.tif 000022
2004502503.tif 000023
2004502503.tif 000024
2004502503.tif 000025
2004502503.tif 000026
2004502503.tif 000027
2004502503.tif 000028
2004502503.tif 000029
2004502503.tif 000030
2004502503.tif 000031
【国際調査報告】
2004502503.tif 000032
2004502503.tif 000033
2004502503.tif 000034
2004502503.tif 000035
2004502503.tif 000036
2004502503.tif 000037